(57)【要約】【課題】モーターに当たる風量によって、モーター自身の温度が左右されやすくなり、冷却効果が落ち、ベアリング温度が高くなりグリスの寿命が短くなるという課題があり、モーター温度上昇を抑えることのできる空気調和機室内機を提供することを目的とする。【解決手段】室内機本体１は一側面開口に吸込口を設け、他側面には吹出口を設け、室内機本体１内部には、送風部１０４と熱交換器部があり、送風部１０４は、羽根１０６とケーシング１０７とモーター１０８と固定板１０９から構成され、固定板１０９は板金で加工しており、固定板１０９の形状はモーター１０８が取り付けてある両サイドに角穴開口部１ｂを備え、モーター１０８の表面や周囲の風量を増すことができ、さらに、モーター１０８の熱が固定板１０９に伝わり、放熱作用で冷却効果が得られ風量を増やすことができる空気調和機室内機を提供する。【選択図】図１
2008014607.tif 000002
【特許請求の範囲】
【請求項１】
室内機本体は一側面開口に吸込口を設け、他側面には吹出口を設け、室内機本体内部には、送風部と熱交換器部があり、前記送風部は、羽根とケーシングとモーターと固定板から構成され、前記固定板は板金で加工しており、固定板の形状はモーターが取り付けてある両サイドに角穴開口部を備え、モーターの表面周囲風量が増すことができ、さらに、モーター熱が板金に伝わり、放熱作用で冷却効果が得られ風量を増やすことができる空気調和機室内機。
【請求項２】
固定板の角穴開口部の間に数個の丸穴を設け、モーターの冷却及び風量を増やすことのできる請求項１記載の空気調和機室内機。
【請求項３】
固定板の熱交換器側に折り曲げてある面に丸穴を設け、熱交換器側から導かれる風を直接モーターに当て、風量を増やすことのできる請求項１または２記載の空気調和機室内機。
【請求項４】
固定板の面から吹出口方向に走っている板金をＬ型折り曲げ面を設け、このＬ型折り曲げ面に沿ってモーターへ風を導き、モーターの冷却効果を向上及び、風量を増やすことができる請求項１〜３のいずれかに記載の空気調和機室内機。
【請求項５】
羽根とケーシングとモーターと固定板を２つ並べた構成とし、リモコンによって風量を可変で風量制御ができる請求項１記載の空気調和機室内機。
【請求項６】
２つ並べた送風部を傾斜させた構成とし、モーターと底板の隙間を大きくすることで多くの風をモーターの底面に流すことができ、冷却効果を向上しながら、風量を増やすことができる請求項１記載の空気調和機室内機。
【発明の詳細な説明】
【技術分野】
【０００１】
本発明は、ダクトタイプの空気調和機に係わり、熱交換器の風下側にある送風部分のモーター冷却性を向上させ熱交換器の性能向上ができることのできる空気調和機に関する。
【背景技術】
【０００２】
従来、この種の空気調和機の室内機は、図９に記載されたものが知られている（例えば、特許文献１、２参照）。
【０００３】
以下、その空気調和機について図９を参照しながら説明する。
【０００４】
図に示すように、空気調和機の室内機本体１０１は一側面開口に吸込口１０２を設けまた、他側面には吹出口１０３を設けてある。室内機本体１０１内部には、送風部１０４と熱交換器部１０５から構成され、前記送風部１０４は、羽根１０６とケーシング１０７とモーター１０８と固定板１０９から構成され、吐出板１１０にネジ１１１で取り付けられている。熱交換器１１２は室外機（図示せず）と配管接続する。
【０００５】
上記構成において、空気調和機本体が運転すると送風部１０４にあるモーター１０８が起動し、羽根１０６が回転することで、本体側面に設けた吸込口１０３より居室空気が導かれ熱交換器１１２で熱交換が行われ、冷房運転時は冷たい風、暖房時は暖かい風が吹き出し口１０３より吹き出される。この時、送風部１０４に設けてあるモーター１０８は熱交換器１１２の風下側にあるためモーター周囲温度は熱交換器１１２の熱の影響を受けることになる。
【特許文献１】特開２００１−２２７７６８号公報
【特許文献２】特開２００１−２７２０７４号公報
【発明の開示】
【発明が解決しようとする課題】
【０００６】
このような従来の空気調和機室内機は、熱交換器の風下側にモーターがあることから、熱交換器で熱交換された熱によりモーターを冷却している。モーターは巻線による熱、モータシャフトを支えるベアリングの摩擦熱によりモーターは発熱するが、モーターに当たる風量によって、モーター自身の温度が左右されやすくなり、例えば、モーターに当たる風の量が少なくなるとモーター冷却効果が落ちるため、ベアリング温度が高くなりグリスの寿命が短くなるという課題があり、モーター温度上昇を抑えることが要求されている。
【０００７】
本発明は、このような従来の課題を解決するものであり、モーターに当たる風の量を効率的に当てる構成とすることでモーター温度上昇を抑え、モーターの寿命を長くできる空気調和機室内機を提供することを目的としている。
【課題を解決するための手段】
【０００８】
本発明の空気調和機室内機は上記目的を達成するために、室内機本体は一側面開口に吸込口を設け、他側面には吹出口を設け、室内機本体内部には、送風部と熱交換器部があり、前記送風部は、羽根とケーシングとモーターと固定板から構成され、前記固定板は板金で加工しており、固定板の形状はモーターが取り付けてある両サイドに角穴開口部を備え、モーターの表面周囲風量が増すことができ、さらに、モーター熱が板金に伝わり、放熱作用で冷却効果が得られ風量を増やすことができる空気調和機室内機としたものである。
【０００９】
また、請求項１の構成から、固定板のモーター取り付け位置の両サイドに角穴開口部の間に数個の丸穴を設け、モーターの冷却及び風量を増やすことのできる空気調和機室内機としたものである。
【００１０】
また、請求項２の構成から、固定板の熱交換器側に折り曲げてある面に丸穴を設け、熱交換器側から導かれる風を直接モーターに当て、風量を増やすことのできる空気調和機室内機としたものである。
【００１１】
また、請求項３の構成から、固定板を面から吹出口方向に走っている板金をＬ型折り曲げ面を設け、Ｌ型折り曲げ面に沿ってモーターへ風が導き、モーターの冷却効果を向上及び、風量をふやすことができる空気調和機室内機としたものである。
【００１２】
また、請求項４の構成から、羽根とケーシングとモーターと固定板を２つ並べた構成とし、リモコンによって風量を可変で風量制御ができる空気調和機室内機としたものである。
【００１３】
また、請求項５の構成から、２つ並べた送風部を傾斜させた構成とし、モーターと底板の隙間を大きくすることで多くの風をモーターの底面に流すことができ、冷却効果を向上しながら、風量を増やすことができる空気調和機室内機としたものである。
【発明の効果】
【００１４】
本発明によればこの空気調和機室内機本体の固定板にモーターが取り付けてある両サイドに角穴開口部が設けることで、モーターの表面周囲風量が増すことができ、モーター巻線温度やベアリングの摩擦熱の冷却効果が得られ、モーターの寿命が長くなり、また、ファンケーシングに流入する開口部が大きく設けることで風量を増やすことができるという効果のある空気調和機室内機を提供できる。
【００１５】
また、固定板のモーター取り付け位置の両サイドに角穴開口部の間に数個の丸穴を設け、モーターの冷却及び風量を増やすことのできるという効果のある空気調和機室内機を提供できる。
【００１６】
また、固定板の熱交換器側に折り曲げてある面に丸穴を設け、熱交換器側から導かれる風を直接モーターに当て、風量を増やすことのできるという効果のある空気調和機室内機を提供できる。
【００１７】
また、固定板を面から吹出口方向に走っている板金をＬ型折り曲げ面を設け、Ｌ型折り曲げ面に沿ってモーターへ風が導き、モーターの冷却効果を向上及び、風量をふやすことができる空気調和機室内機としたものである。
【００１８】
また、請求項４の構成から、羽根とケーシングとモーターと固定板を２つ並べた構成とし、リモコンによって風量を可変で風量制御ができるという効果のある空気調和機室内機を提供できる。
【００１９】
また、２つ並べた送風部を傾斜させた構成とし、モーターと底板の隙間を大きくすることで多くの風をモーターの底面に流すことができ、冷却効果を向上しながら、風量を増やすことができるという効果のある空気調和機室内機を提供できる。
【発明を実施するための最良の形態】
【００２０】
本発明は、空気調和機室内機本体の内部に羽根とケーシングとモーターと固定板から構成される送風部を設け、前記固定板にモーターと前記モーターの両サイドに角穴開口部を設けたものであり、また、固定板のモーター周囲に丸穴の通気穴を設けたものである。
【００２１】
また、固定板の熱交換器側に折り曲げてある面に丸穴を設けてある。また、固定板を面から吹出口方向に走っている板金をＬ型折り曲げ面を設けてある。
【００２２】
また、送風部の羽根とケーシングとモーターと固定板を２つ並べた構成である。
【００２３】
また、送風部を傾斜させた構成としたものであり、モーターの表面周囲風量が増すことができ、さらに、固定板を板金と接触させているためモーターの熱が板金に伝わり板金が放熱板の役割となり、モーター熱の放熱作用を有し冷却効果が向上する。
【００２４】
以下、本発明の実施の形態について図面を参照しながら説明する。
【００２５】
（実施の形態１）
図１および図２に示すように、この空気調和機の室内機本体１には、一側面開口に吸込口を設け、他側面には、吹出口を設け、内部には、熱交換器部と送風部１０４がある。この送風部１０４は、羽根１０６とケーシング１０７とモーター１０８と板金で形成した固定板１０９から構成される。この送風部１０４は固定板１０９の取り付け穴をもって、前記室内機本体１の吐出板と中心板にネジで取り付けてある。固定板１０９は板金を加工して形成させており、固定板１０９の形状はモーター１０８が取り付けてある両サイドに角穴開口部１ａ角穴開口部１ｂが設けてある。
【００２６】
上記構成において、空気調和機の室内機が運転するとモーター１０８が回転することでケーシング１０７のモーター１０８側の吸込み口１０７ａとモーター１０８に対して反対側の吸込み口１０７ｂの両サイド開口部より風を吸込み、羽根１０６によって吹出口１１２から吹き出されてる。この時、モーター１０８が取り付けてある両サイドに角穴開口部１ａと角穴開口部１ｂが設けてあり、これらの角穴開口部１ａ、１ｂから空気が吸い込まれるためモーター１０８の周囲を風が通過する。
【００２７】
モーター１０８が取り付けてある両サイドに角穴開口部１ａと角穴開口部１ｂがあることで、モーター１０８の表面かつ、周囲の風量を増すことができ、さらに、固定板１０９が板金であるためモーター１０８の熱は板金へ伝道し、この板金が放熱板の働きをすることで、熱の放熱作用がおこり、モーター１０８の巻線温度やベアリングの摩擦熱の冷却効果が得られ、モーター１０８の寿命が長くなる。また、ケーシング１０７に流入する開口部を大きく設けることで風量を増やすことができる。
【００２８】
（実施の形態２）
以下、本発明の実施の形態２について図３を参照しながら説明する。
【００２９】
なお、実施の形態１と同一部分には同一符号を付けて詳細な説明は省略する。
【００３０】
本発明は、実施の形態１の構成に対し、モーター１０８周囲の固定板１０９に通気穴として丸穴２を設けたものである。この丸穴２は、モーター１０８が取り付けてあるところと、モーター１０８の両サイドの角穴開口部１ａと角穴開口部１ｂの間に数個設けてある。
【００３１】
上記構成において、羽根１０６が回転すると、この丸穴２はケーシング１０７のモーター１０８側の吸込み口１０７ａに最も近い位置にあるため、丸穴２を通過し、モーター１０８側の吸込み口１０７ａに風が導かれる。
【００３２】
このように、丸穴２を数個設けることで、固定板に大きな開口部を設け固定板の強度を低下する構造にならないため、固定板の強度を低下せずに、さらにモーターの表面周囲風量がさらに増すことができる。
【００３３】
（実施の形態３）
以下、本発明の実施の形態３について図４を参照しながら説明する。
【００３４】
なお、実施の形態１と実施の形態２と同一部分には同一符号を付けて詳細な説明は省略する。
【００３５】
本発明は、実施の形態２の構成に対して、固定板１０９の熱交換器側に折り曲げてある面である面３に丸穴２を設けてある。
【００３６】
上記構成において、送風部には熱交換器側から風が導かれるため、固定板１０９の熱交換器側に折り曲げてある面３の丸穴２を通過して風がケーシングに導かれる。
【００３７】
固定板１０９の面３の丸穴２をもうけることで、モーター１０８に当たる風の量を増やすことができ、モーター１０８の面のベアリング面１０８ａの冷却効果が多くなる。
【００３８】
（実施の形態４）
以下、本発明の実施の形態４について図５を参照しながら説明する。
【００３９】
なお、実施の形態１と実施の形態２と同一部分には同一符号を付けて詳細な説明は省略する。
【００４０】
本発明は、実施の形態３の構成から、固定板１０９を面３から吹出口１１２方向に走っている板金をＬ型折り曲げ面４を設けてある。
【００４１】
上記構成において、固定板１０９を面３から吹出口１１２方向に走っている面角にＬ型折り曲げ面４を設けることで、羽根１０６が回転すると、風は丸穴２を通過し、Ｌ型折り曲げ面４に沿ってモーター１０８へ風が導びかれ、モーター１０８側の吸込み口１０７ａから吸い込まれる。
【００４２】
Ｌ型折り曲げ面４がモーター１０８へ風を導く線レールとなりモーター１０８の表面や周囲へより多くの風を囲当てることができ、モーター１０８の冷却効果を向上できる。また、Ｌ型折り曲げ面４が風を導く線レールの役割をするため吸込み口１０７ａへスムーズに風を流すことができ風量をふやすことができる。
【００４３】
（実施の形態５）
以下、本発明の実施の形態５について図６、図７を参照しながら説明する。
【００４４】
なお、実施の形態１と実施の形態２と同一部分には同一符号を付けて詳細な説明は省略する。
【００４５】
本発明は、実施の形態４の構成の羽根１０６とケーシング１０７とモーター１０８と固定板１０９を２つ並べた構成である。
【００４６】
上記構成において、２つのモーターは、風量を変えるノッチを持っており、以下、モーター１０８Ｌとモーター１０８Ｒとして説明する。
【００４７】
モーター１０８Ｒを制御するリモコン５ａ、モーター１０８Ｌを制御するリモコン５ｂを設け、リモコン５ａ、リモコン５ｂにてモーター１０８Ｒ、モーター１０８Ｌの風量制御ができる。
【００４８】
このように、モーターのノッチを可変することができ、例えば、図７に示すように、各モーターのノッチを可変できるため、モーターの出力を変えることで消費電力が抑えることができる。さらに、モーターを１つとした場合の機種やモーターを２つとした場合の機種と大風量タイプ、小風量タイプと風量違い機種のバリエーション展開ができる。
【００４９】
（実施の形態６）
以下、本発明の実施の形態６について図８を参照しながら説明する。
【００５０】
なお、実施の形態１と実施の形態２と同一部分には同一符号を付けて詳細な説明は省略する。
【００５１】
本発明は、実施の形態５の構成の羽根１０６とケーシング１０７とモーター１０８と固定板１０９の２つ並べた送風部を傾斜６させた構成である。
【００５２】
上記構成において、送風部を傾斜することで、モーターが取り付けてある底面側の底板とモーターの隙間を風が通過し、モーターを冷却しながら、吸込み口１０７ａへと風が流れる。よって多くの風をモーターへ当てることができ、冷却効果を向上しながら、風量を増やすことができる。
【産業上の利用可能性】
【００５３】
本発明の空気調和機室内機のモーターの冷却構成は、モーターの表面周囲風量を増す構成によって、空気調和機等に設けられているモーターの構成にも適用できる。
【図面の簡単な説明】
【００５４】
【図１】本発明の実施の形態１の空気調和機室内機本体の構成図
【図２】同空気調和機室内機本体の送風部の構成を示す斜視図
【図３】本発明の実施の形態２の送風部の構成を示す斜視図
【図４】本発明の実施の形態３の送風部の構成を示す斜視図
【図５】本発明の実施の形態４の送風部の構成を示す斜視図
【図６】本発明の実施の形態５の空気調和機室内機本体の送風部の構成を示す構成図
【図７】同空気調和機室内機本体の風量可変図
【図８】本発明の実施の形態６の空気調和機室内機本体の送風部の構成を示す構成図
【図９】従来の空気調和機室内機本体の構成図
【符号の説明】
【００５５】
１ａ  角穴開口部
１ｂ  角穴開口部
２    丸穴
３    面
４    Ｌ型折り曲げ面
５ａ  リモコン
５ｂ  リモコン
６    傾斜
【図１】
2008014607.tif 000003
【図２】
2008014607.tif 000004
【図３】
2008014607.tif 000005
【図４】
2008014607.tif 000006
【図５】
2008014607.tif 000007
【図６】
2008014607.tif 000008
【図７】
2008014607.tif 000009
【図８】
2008014607.tif 000010
【図９】
2008014607.tif 000011